(57)【要約】本発明は、複数のユーザによるサービスへのアクセスを制御する方法に関する。ユーザの各々は、自身のアクセス権を使用でき、かつ各々のユーザが識別されることを可能とする無線信号を発信する携帯物体を身に付けている。サービスは、デバイスのレベルにおいて選択される。デバイスは、コードを受信して存在するユーザを識別子、各々のアクセス権を識別する。アクセス権が集約されて、存在するユーザのセットにサービスが割り当てられ得るかが判定される。改良例によれば、集約は、最も低い権利を有して存在するユーザにサービスへのアクセス権が与えられる場合に、サービスへのアクセス権を割り当てることに本質がある。変形例によれば、少なくとも１人の存在するユーザが当該サービスにアクセス可能である場合に、当該サービスへのアクセス権が与えられる。本発明は、数人のユーザがデバイスの周囲に存在する場合に、サービスへのアクセスを制御可能なデバイスにも関する。
2012512475.tif 000002
【特許請求の範囲】
【請求項１】
特定のアクセス権を有しかつ無線伝送手段によって伝送される信号を受信可能とさせる距離に位置している複数のユーザを対象とするデバイス（１）によって提供されるサービスへのアクセスを制御する方法であって、ユーザの各々が特定のコードを伝送する前記無線伝送手段を身に付けており、前記方法が、
−アクセス権に関連付けられているサービスを選択するステップ（５．１）と、
−前記ユーザが持っている前記無線伝送手段によって伝送されるコードを、デバイスを介して受信するステップ（５．２）と、
−前記受信されたコードによって存在するユーザを識別するステップ（５．３）と、
−前記伝送手段によって伝送される前記コードによって識別される前記ユーザの全てのアクセス権を集約するステップ（５．４）と、
存在する少なくとも１人のユーザの前記コードが前記サービスへのアクセスを許可している場合に、前記選択されたサービスにアクセスするステップ（５．５）と、
を含むことを特徴とするサービスへのアクセスを制御する方法。
【請求項２】
当該権利の集約が、前記存在するユーザの全てが個別的にアクセスするサービスへのアクセス権を与えることを特徴とする請求項１に記載のサービスへのアクセスを制御する方法。
【請求項３】
前記ユーザの１人がサービスに対する内輪的アクセス権を有している場合であって、前記ユーザのみが存在する場合、前記サービスへの前記アクセス権が前記ユーザのみに与えられることを特徴とする請求項１に記載のサービスへのアクセスを制御する方法。
【請求項４】
前記アクセス権が内輪的である前記サービスが、時間で区切られるかまたは前記サービスによって放送されるイベント毎に区切られ、アクセスが、当該決められた時間またはイベントの終了まで、前記デバイス（１）の周囲に存在する他のユーザに可能であることを特徴とする請求項３に記載のサービスへのアクセスを制御する方法。
【請求項５】
前記サービスへのアクセス権が支払いによって条件付けられる場合であって、前記ユーザの１人が前記アクセス権に支払いをした場合、前記権利の集約が前記サービスへのアクセス権を与えることを特徴とする請求項１に記載のサービスへのアクセスを制御する方法。
【請求項６】
特定のアクセス権を有しかつ無線伝送手段によって伝送される信号を受信可能とさせる距離に位置している複数のユーザに少なくとも１つのサービスを配信する電子システムであって、ユーザの各々が特定のコードを伝送する前記無線伝送手段の少なくとも１つを身に付けており、前記電子システムが、
−アクセス権に関連付けられているサービスを選択する手段（３、７、８、１２）と、
−前記ユーザが持っている前記無線伝送手段によって伝送されるコードを受信する手段（１３）と、
−前記無線伝送手段によって伝送される前記コードによって存在するユーザを識別する手段（３、１２）と、
前記伝送手段によって伝送される前記コードによって識別される前記ユーザの全てのアクセス権を集約する手段、及び少なくとも１人の存在するユーザの前記コードが前記サービスへのアクセスを許可する場合に前記サービスへのアクセスを割り当てる手段と、
を含むことを特徴とする電子システム。
【請求項７】
前記割り当てる手段が、前記存在するユーザの全ての各々が内輪的アクセス権を有するサービスに対するアクセス権を与えることを特徴とする、少なくとも１つのサービスを配信する請求項６に記載の電子システム。
【請求項８】
前記ユーザの１人がサービスに対する内輪的アクセス権を有している場合であって、前記システムが前記ユーザに関連付けられているコードを受信する場合、前記割り当てる手段が前記サービスへの前記アクセス権を与えることを特徴とする、少なくとも１つのサービスを配信する請求項６に記載の電子システム。
【請求項９】
前記アクセス権が内輪的である前記サービスが、時間でまたは前記サービスによって放送されるイベント毎に区切られ、当該決められた時間またはイベントの終了まで、前記デバイス（１）の周囲に存在する他のユーザがアクセス可能であることを特徴とする、少なくとも１つのサービスを配信する請求項８に記載の電子システム。
【請求項１０】
サービスへのアクセス権が支払いによって条件付けられる場合であって、前記ユーザの１人が前記アクセス権に支払いをした場合、権利の前記集約が前記サービスへのアクセス権を与えることを特徴とする、少なくとも１つのサービスを配信する請求項６乃至９のいずれか１に記載の電子システム。
【発明の詳細な説明】
【技術分野】
【０００１】
本発明は、複数のユーザによるオーディオビジュアルシステムへのアクセスを制御する方法、及び当該方法によるアクセス制御を管理することが可能なデバイスに関する。
【背景技術】
【０００２】
近年、多数のオーディオビジュアルチャンネルが、テレビジョン受信機を介してアクセスされることが可能である。若年の視聴者は、知識層向けの番組、または成人向けの番組も選択し得る。これが、最近の受信機が、制限されるべきいくつかの放送内容へのアクセスを可能にする「ペアレンタルコントロール（parental control）」として知られている機能を備えている理由である。
【０００３】
一般的に、パーソナルコンピュータは、インターネットネットワークを介して多数のサイトに接続可能である。単純なテキスト、写真、またはオーディオコンテンツもしくはオーディオビジュアルコンテンツ等のドキュメントは、制限された放送を必要とする可能性がある。実際、その性的な性質故に「成人向け」と印されたドキュメント、または慎重に扱うべき情報を含んでいる故に「機密」と印されたドキュメントは、権限を持たない個人によってアクセス可能であるべきではない。デバイスまたはドキュメントへのアクセスを制御することを可能にする解決方法は、パスワードを用いてこれらをロックすることにある。一度、パスワードがキーボードに入力されて有効にされると、アクセスが認証されて、情報の特定のアイテムが取得されたり、ファイルまたはドキュメントのダウンロードがなされたり、コンテンツの視聴がなされたりする。しかし、パスワードが他人に渡されることもあり得、これによって、パスワードは、特定のユーザへのアクセスが与えられることを可能にすることができない。
【０００４】
選択的なアクセス制御を実現する一つの方法は、デバイスの前にいるユーザの各々が、コードを用いて、例えば、リモートコントローラに番号を入力することによって自身を特定することである。デバイスを管理するユーザは、他のユーザにアクセス権を導入する。例えば、親が、子供に対するテレビデコーダのアクセス権を規定する。このことを行う他の方法は、サービスプロバイダ自体がユーザのアクセス権を規定することにある。
【０００５】
他の解決方法は、ユーザに機密のしっかりした個人スマートカードを与えることにある。ユーザは、自身のスマートカードをデバイスのドライブに導入して、自身のパスワードによって自身を特定する。秘密情報がスマートカードの中だけに記録されることは、当該カードの保持者へのみのアクセスが許可されることを可能にする。
【０００６】
しかし、スマートカードの導入は、その操作が定期的に繰り返される場合、面倒な面を露呈する。一般的に「ＲＦ＿ＩＤ」タグとして知られている非接触カードまたはマイクロ波タグは、電波を介して固定されたベースとやりとりをするので、導入操作を回避する。これらの物体は、コイルに接続された集積回路を含んでいる。このコイルは、例えば、回路基板上の銅ワイヤである。電界及び／または磁界にさらされているコイルは、電流を生成し、当該電流が、集積回路に電源を供給し、同一のコイルを介して情報のアイテムを伝送することを可能にさせる。特定の単純な方法において、集積回路は、メモリ及びメモリ内に書き込まれているコードの読み出し要素を含む。このコードは、順次伝送されて、コード自体が電磁場に重ね合わせられて、アンテナによって補足され得る。このコードが回路によって特定される場合、回路が物体に関連付けられているならば、この物体自体がコードによって特定される。
【０００７】
マイクロ波タグの利用例は、ますます多くなっている。例えば、マイクロ波タグは、スーパーマーケットにおいて、人の介入無しにキャッシュレジスタにて支払いをするために、対象物に上に固定されるかまたは対象物内に一体化される。タグの非常に低いコストは、非常に広範な普及を可能にし、タグは非常に多くの対象物と関連付けられて使用されている。結果として、ほとんどのユーザが、決められたコードを伝送するマイクロ波タグを身につけている。この特定のコードは、対象物の所有者を識別するために使用され得、対象物は、通常は衣料品もしくは宝飾品、または任意の身につける物である。埋め込みにおいて意図された使用が完了すると、タグはもはや役目を果たさない。その後、ユーザに送信されたコードをＲＦ＿ＩＤ対象物の検出器を備えているオーディオビジュアルシステムに関連付けることが可能である。一度関連付けがなされると、オーディオビジュアルシステムは、近傍に位置している任意のユーザを識別可能である。しかし、異なったアクセス件を所有する数人のユーザが存在する場合、アクセス権を規定するのは容易ではない。
【０００８】
ＳＡＰ  ＡＧによって出願された特許文献１には、機密情報に対するアクセス制御が記載されている。人は、その人に関連付けられているセキュリティレベルを規定するコードを含むＲＦＩＤタグを身につけている。スクリーン上の情報のアイテムを見ることを許可されていない人が当該スクリーン近傍で検出された場合、その後スクリーンは自動的に抑制を受けて何も表示されなくなる。このようにして、許可された人が存在しても、許可されていない人には情報が表示されない。
【０００９】
ＧＲＵＴＥＳＥＲによって出願された特許文献２には、存在する複数の人によって視覚可能な情報表示システムが記載されている。ある機密性レベルが、ドキュメントに関連付けられている。人々は、ＲＦ＿ＩＤを身につけさせられて、彼らの識別が可能にされている。自身のタグによって検出された人が情報を見ることを許可されていない場合、当該情報は表示されない。同様に、ある人がカメラ等の他の手段によって検出されたがマイクロ波タグを有していない場合、その人は許可されていないとみなされる。
【先行技術文献】
【特許文献】
【００１０】
【特許文献１】欧州特許出願第ＥＰ１７６０６２１号明細書
【特許文献２】米国特許出願第２００３／０３２７２４３号明細書
【発明の概要】
【発明が解決しようとする課題】
【００１１】
本発明は、非接触でやりとりをするタグまたはカードが使用されることを可能にし、存在しているユーザの各々のアクセス権を考慮するアクセス制御を実現する。
【課題を解決するための手段】
【００１２】
本発明は、特定のアクセス権を有しかつ無線伝送手段によって伝達される信号の受信を可能とさせる距離に位置している複数のユーザを対象とするデバイスによって提供されるサービスへのアクセスを制御する方法であり、ユーザの各々は、特定のコードを伝送する無線伝送手段の少なくとも１つを身につけており、
−アクセス権に関連付けられているサービスを選択するステップと、
−ユーザが持つ無線伝送手段によって伝送されるコードを、デバイスを介して受信するステップと、
−受信されたコードによってユーザの存在を識別するステップと、
−伝送手段によって伝送されたコードによって識別される全てのユーザのアクセス権を集約するステップと、
−少なくとも１人の存在するユーザのコードがこのサービスへのアクセスを許可する場合に、選択されたサービスにアクセスするステップと、
を含むことを特徴とする方法である。
【００１３】
このような方法で、サービスの選択に続いて、デバイスが、近傍にいるユーザを検出して、存在するユーザによって、アクセスを許可するかまたはしないかの方法でアクセス権を集約する。
【００１４】
改良例によれば、権利の集約は、存在するユーザが個別的にアクセスするサービスへのアクセスを提供する。このようにして、デバイスによって提供されたサービスは、存在するユーザの各々のアクセス権にかかわる。変形例によれば、ユーザの１人は、サービスに対する内輪的な（ｐｒｉｖａｔｅ:特定の人だけの）アクセス権を有し、当該ユーザが存在する唯一のユーザである場合にのみこのサービスへのアクセスがこのユーザに許可される。このようにして、他のユーザが選択されたサービスにおける内輪的な権利を有している場合に、あるユーザに対してアクセスを排除することが可能である。この変形例によれば、アクセス権が内輪的であるサービスは、時間で区切られるかまたは所定の事象に対して許可され、その後、アクセス権は所定の時間またはイベントの終了時においてデバイスの周囲に存在する他のユーザに与えられる。このようにして、デバイスは、内輪的な権利（例えば、プログラムの配布）の終了時を自動的に検出し、この期間またはイベントに続いて、存在するユーザのセットに全体的なアクセスを提供する。
【００１５】
第３の変形例によれば、サービスへのアクセス権は、支払いによって調整され、権利の集約体は、存在する全てのユーザがこのサービスへの個別的なアクセス権を有している場合及びそれらのユーザの中の１人のユーザがアクセス権に支払いをした場合にこのサービスへのアクセス権を与える。
【００１６】
本発明は、特定のアクセス権を有しかつ無線伝送手段によって伝送される信号の受信を可能とさせる距離に位置している複数のユーザに、少なくとも１つのサービスを提供する電子システムであり、ユーザの各々は、特定のコードを伝送する無線伝送手段の少なくとも１つを身につけており、
−アクセス権に関連付けられたサービスを選択する手段と、
−ユーザが持っている無線伝送手段によって伝送されるコードを受信する手段と、
−無線伝送手段によって伝送されたコードによって存在するユーザを識別する手段と、
−伝送手段によって伝送されたコードによって識別された全てのユーザのアクセス権を集約する手段、及び少なくとも１人の存在するユーザのコードがこのサービスへのアクセスを許可する場合にサービスへのアクセスを割り当てる手段と、
を含むことを特徴とする電子システムでもある。
【００１７】
このようなデバイスは、サービス選択命令を受信すること、ユーザを検出すること、及び存在するユーザによってこのサービスへのアクセスを許可するかまたはしないかの態様でアクセス権を集約することを可能とする。
【００１８】
本発明は、添付の図面を参照して例示として与えられる以下の実施形態の説明の範囲内のさらなる詳細とともに示される。
【図面の簡単な説明】
【００１９】
【図１】以前に参照された対象物の識別を可能にする無線ラベルの使用の周知のスキーマを示す図である。
【図２】タグを検出してサービスへのアクセス権をユーザに与える電子システムを示す図である。
【図３】住居内に設置された無線タグを検出するシステムの一例を示す図である。
【図４】検出されたタグに関連付けられた様々な識別子を示すウィンドウと共に表されているスクリーンを示す図である。
【図５】実施形態によるステップのフローチャートを示す図である。
【発明を実施するための形態】
【００２０】
以下の説明において、用語「電子タグ」は、スマートカード、もしくは電子タグ（もしくは「無線タグ」）または簡単なＲＦＩＤ（無線識別）の形式の、非接触でやりとりをする任意の物体を含む。無線タグは、電子回路及びアンテナからなっている。電子回路は、メモリ内に記録されているコードを含んでいる。コイルは、回路への電源の供給及び通信の両方を可能にする。タグが電磁場に配されるとすぐに、回路に電源が供給されてそのコードが自動的にかつ順番にアンテナに伝送される。タグのコードは、ＩＳＯ１５６９３−３規格に従ったバーコードと類似している。以下に説明されている実施形態において、最後の１６の１６進法コード（last sixteen hexadecimal codes）が使用され得る。
【００２１】
市場において利用可能な多数のタイプの無線タグが存在する。パッシブタグとアクティブタグがあり、後者は自前の電力供給源（セル、バッテリ、太陽電池等）を有している。パッシブ「電流」型は、１２５ＫＨｚと１３５ＫＨｚとの間で動作し、数センチメートルから０．５０メートルまでの間で問い合わせされること（interrogate）が可能である。パッシブ型でさらに精密な型は、１３．５６ＭＨｚで動作し（ＩＳＯ１５６９３−３）、数メートルまで問い合わせされることが可能である。さらに、８．６８ＧＨｚで動作する型があり、これは５０メートルまで問い合わせされることが可能である。以下は、無線タグの２つの例である：ＮＥＣ社によって製造されている「ＮｅｔＬａｂｅｌ」、サイズ０．８ｍｍ2、問い合わせアンテナ、メモリ１０２４ビット、通信周波数２．５ＧＨｚ：日立によって製造販売されているモデル「Ｍｙｕ」、サイズ０．２ｍｍ2、問い合わせアンテナ、メモリ１２８ビット、通信周波数２．５ＧＨｚ。無線タグは、食料品または衣料品等の一般的な消費製品と共に配されることが意図されている。数メートルの距離で検出可能な型は、皮ジャケット、絹のスカーフ等のさらに高価な製品のタグに使用される。タグは、小さなサイズ故に（２ｍｍ2または３ｍｍ2、０．１ｍｍ2）、裸眼で見付けることが実際は不可能である。従って、購入者は、それを取り外す理由がない。
【００２２】
図１は、物体に関連付けられている無線タグの基本的な使用スキーマからなる従来例を示している。無線タグは、物体に接着または取り付けられており、当該タグは物体が参照されることを可能にする。ローカルサーバに接続されているリーダ（検出ポーチ（portico）、手持ちリーダ、棚にある検出器）は、対象物のストックを計数可能にし、最後のときに、ユーザによる購入を認識可能である。
【００２３】
本発明は、オーディオビジュアルの分野について以下に説明されるが、ネットワークコンピューティングの分野等の他の分野を除外するわけではない。図２は、サービスへのアクセスを提供するデバイス１、及びディスプレイデバイス２を有するいくつかのデバイスを含む電子システムを示している。デバイス１は、保持されるユーザアクセス権等のデータを有効にするＲＯＭ（Read Only Memory）、ＲＡＭ（Random Access Memory）及び不揮発性メモリからなるメモリ１２に接続されている中央演算ユニット３を含む。デバイス１は、ライブで伝送される（transmitted live）オーディオ／ビデオデータを有効にする高ビットレートデジタルバス６と通信するインタフェース５も有する。このネットワークは、例えば、ＩＥＥＥ１３９４ネットワークである。デジタルバスは、サーバに伝送されるデータも有効にする。受信器は、デモジュレータ４に関連付けられている受信アンテナを介して、放送ネットワークからオーディオ／ビデオデータを受信可能である。デバイスは、リモートコントローラ８からの信号を受信するための赤外線受信器７、及びテレビスクリーン２に伝送されるオーディオビジュアル信号を生成するデコーディングロジック１０も含む。
【００２４】
デバイス１は、クロック９、及びしばしばＯＳＤ（On Screen Display）回路と称されるオンスクリーンデータ表示のための回路１１も有する。ＯＳＤ回路１１は、テキスト及びグラフィクス生成器であり、メニュー、ピクトグラム（pictogram）（例えば、表示されているチャンネルに対応する数字）のオンスクリーン表示を可能にするか、または２つのオーディオビジュアルコンテンツを混合することを可能にする。ＯＳＤ回路は、タグ管理実行可能モジュールに関連付けられている中央演算ユニット３によって特に制御される。プログラムモジュールは、通常、ＲＯＭ１２内に存在する実行可能コード及びＲＡＭ内に保存されているデータのモジュールの形式で実装されている。プログラムモジュールは、例えば、ＡＳＩＣタイプ専用回路の形式でも実現され得る。デバイス１は、アンテナを含む無線インタフェース１３に接続されており、ある動作半径内にある無線タグとの無線周波数を介した接続への参加を可能にし、無線タグ内に書き込まれているコードを無線タグから受信する。デバイス１に備えられているアンテナの動作半径は、このアンテナによって伝送される電磁場の強度に直接比例する。一般に、動作半径は３メートル以内かまたは３メートル前後である。デバイス１のアンテナは、デバイスの前に配されているタグを検出するために選択的に前方を向いている。部屋が、互いにある距離で離間された３つのアンテナを有する場合、各々のアンテナに電源を入れることによって、システムは、三角測量によってタグの各々の位置を検出可能である。学習段階において、デバイスは、タグの各々の位置を示すことが可能であり、タグを持っている人がユーザのグループの中で自身を容易に特定することを可能にする。
【００２５】
図３は、リビングルーム等の部屋の中に設置された、無線タグの検出のためのシステムの例を示している。このシステムは、テレビスクリーンに接続されているデコーダ内に実装されている。図３の例において、電磁場は、３人のユーザによって持ち運ばれているタグを検出する。２つのタグは２つの肘掛け付き椅子に付され、１つはソファに付され、１つは植木鉢に固定されている。最初に、システムは、タグを持っている人を識別する試行を行う。次に、システムは、取得される情報のアイテムを使用して、当該情報のアイテムをアクセス権及び場合によってはデバイスの近傍にて検出されたユーザのプロファイルと関連付ける。
【００２６】
従って、第１のステップは、タグによって伝達されたコードを１または複数のユーザと関連付けることである。このことは、タグがユーザによって持ち運ばれ、固定対象物に固定されていない場合にのみ可能である。壁に掛けられた絵または家庭用電気デバイスに固定されているタグは、何者かを識別するためには使用できない。従って、システムは、学習することによって、インタフェースアンテナ１３によってカバーされている範囲に入ってきて出て行くタグを解析する。学習ステップは、デバイス１の周りのタグの環境において変化が起きるとすぐに開始する。このステップは、デバイス１のアンテナによって発せられる電磁場の伝送に応答するタグのセットを識別して、それらを明確に識別されたユーザ、または場合によっては対象物と関連付けることである。
【００２７】
部屋にシステムを設置している間、ある動作半径内に存在する全てのタグの検索が実行される。好ましい実施形態によれば、システムは、デバイス１、制御スクリーン２、及びユーザ命令を受信するための、デバイス１に接続されているキーボードまたは接続されていないキーボード（例えば、リモートコントローラ８）を含む。ユーザ情報を収集するための音声認識システムに関連付けられている音声合成等の他のユーザインタフェースも用いられ得る。初期設定において、デバイス１は、自身の環境を解析し、タグから発せられているいくつかのコードを受信する。タグによって伝送されるコードの数及びコードは、スクリーン２に表示される。有利には、この情報は、画像が興味を引かない領域（例えば、スクリーンの左下）において、ユーザが配することが可能なスクリーンのウィンドウ内に現れる。その後、ユーザは、アンテナによるタグ検出半径に入りかつそこから出る。規則的でありかつ１秒から数分に調整され得る間隔（表示として与えられる最適な結果は約３秒である）にて、デバイス１は、タグに自身のコードを伝送可能にする電磁場を発する無線インタフェースを起動する。一度全てのコードが受信されると、プログラムモジュールは受信コードのセットを最後にスキャンしたコードのセットと比較する。変更が起きた場合、すなわちタグが領域に現れるかまたは領域から消えた場合、学習ステップが起動されてテレビスクリーン２にバナーが表示される。このバナーは、スクリーンの前にいるユーザに、変更の性質を示す。基本的には、２つのメッセージが見られる：
【００２８】
【表１】
2012512475.tif 000003
【００２９】
【表２】
2012512475.tif 000004
【００３０】
ユーザが、システムに接近する際にメッセージ１が表示されていることに気づいた場合、または離れる際にメッセージ２が表示されていることに気づいた場合、その後、ユーザは、ユーザの識別子またはユーザの名前を入力することによって、自身と表示されたタグコードとを関連付けることが可能である。識別子は、１から９の番号である。名前は、全ての文字を表示するメニュー、方向キーを用いて字の上に配することが可能なカーソル、及びカーソル上の文字を有効にする「ＯＫ」を用いて、１文字１文字入力され得る。ユーザは、検知半径内に対象物を持ち込み、持ち込みにおいて、タイプ１のメッセージの表示をもたらすことが可能である。ユーザが物体をもたらして、メッセージ２の出現をもたらすことなしに退場した場合、その後、ユーザはタグが対象物に付されていると結論づける。その後、ユーザは、キーボードを用いてコード「０」を入力し、このタグはユーザに関連付けられていないが、不動とされている対象物に関連付けられていることを示す。
【００３１】
単純化された実施形態によるタグ管理システムの利用のステップは、デバイス１またはデバイス１からタグコード及び関連するユーザ識別子に関連するデータを受信している他のデバイスによって発せられた電磁場内で発見されるタグの各々に関連付けられた識別子のリストを表示することに本質がある。このリストは、例えばスクリーン２の左上に現れるウィンドウとして表示される。図４は、検出された異なったタグの状態を示す左上のウィンドウとともに表されているスクリーンを示している。このウィンドウは以下のメッセージを含む：
【００３２】
【表３】
2012512475.tif 000005
【００３３】
このテキストは、ビビアンに関連付けられたタグ、及びジョセリンに関連付けられた２個のタグが検出されたことを示し、対象物に関連付けられている１７個のタグが検出されたことを示し（この中の１５個はＤＶＤ）、最後に、２個の検出されたタグが、学習ステップにおいて、ユーザまたは対象物にまだ関連付けられていないことを示す。このウィンドウの出現及び消滅は、リモートコントローラ８の特定のキーによって制御される。このことを行う他の方法は、場合によっては最初のものを尊重して、例えば、ウィンドウが変化の各々とともに出現し、プログラミングされ得る１０秒の期間の後に消滅することにある。デバイスが音声タイプのみである場合、音声合成によって生成されかつ上述されたメッセージと同一の内容のメッセージがデバイスによって発せられる。スクリーン背景内の番組は、２つの認識されたユーザの権利に関連する。
【００３４】
ある時間が過ぎた後、デバイス１は、ユーザのＩＤ（identity）を参照するタグに関連している対応表を構築する。図４に示されているウィンドウの表示は、システムによって識別された人の表示をもたらす。
【００３５】
オーディオビジュアルシステム１を使用可能な人の各々は、メモリ１２内に書き込まれている本人のアクセス権を有している。このような権利を導入するいくつかの方法がある。例えば、管理者は、ユーザ名を伴ったメニューを表示する設定メニューを起動し、ユーザの各々のアクセス権を導入する。ここにおいて、オーディオビジュアル分野において、権利の判定の単純な手段を用いる本発明の実施形態が説明される：すなわち、１から４のモラルレベル基準があり、１は全ての公衆からアクセス可能なドキュメントであり、４は成人にしか視聴できないドキュメントである。デバイスのメモリ１２は、その不揮発部１内にユーザＩＤ及びモラルレベルに関連する表を保持する。ユーザが子供である場合、ユーザに関連付けられたレベルは４であり、成人である場合、ユーザのレベルは１である。デバイス１の正面で検出された人が、例えば、２のモラルレベルを有している場合、デバイスは、属性としてモラル値１または２を有するドキュメントのみへのアクセス権を与える。
【００３６】
本発明の好ましい実施形態によれば、数人のユーザが存在する場合、デバイス１は、ユーザの各々に関連付けられたモラルレベルを比較し、「制限」方策と称される第１の方策に従って、デバイス１は、基準として、最も制限されているプロファイルを有する人を選択する。例えば、ユーザの中に子供が見付けられた場合、モラルレベルはこの子供のモラルレベル、すなわち１である。しかし、デバイス１が、各々が最も高い権利レベルに関連付けられている３人の成人を検出した場合、基準値は最も高く、すなわち４である。結果として、権利の集約化は、ユーザのセットに照らして、最も低い権利を持っているユーザの権利を表すことにある。
【００３７】
以下の表は制限的方策を示している：
【００３８】
【表４】
2012512475.tif 000006
【００３９】
本発明は、１つの実施形態に従った、デバイス１によって実行可能なプログラムモジュールのステップのフローチャートを示す図５を用いてさらに説明される。このデバイスは、例えば、オーディオビジュアルサービスを受信するテレビデコーダである。
【００４０】
最初に、ユーザは、リモートコントローラ８を用いて、サービス（オーディオビジュアルチャンネル等）を選択する（ステップ５．１）。ステップ５．２において、デバイスが周辺にあるタグによって伝送されたコードを受信する。上述の関連付けステップを使用して、デバイスは存在するユーザを識別し、メモリ１２からユーザのアクセス権を抽出する（ステップ５．３）。ステップ５．４において、デバイス１は、存在するユーザのアクセス権を集約する。上述の制限的方策は、全てのアクセス権レベルを比較すること及び最も高い制限レベルを維持することに本質がある。本明細書において、以下に他の方策が説明される。その後、デバイスは、集約された権利が、選択されたサービスによって放送されている番組を視聴することを許可しているかを検証する（ステップ５．５）。これをなすために、プログラムモジュールは、放送番組に関連付けられたアクセス権と集約された権利を比較する。番組へのアクセスが許可されているならば、選択されたサービスが割り当てられ（ステップ５．６）、そうではない場合、選択されたサービスは提供されない（ステップ５．７）。後者の場合、表示されるメッセージを用いて、あるメッセージがデバイスの判定を通知する。有利には、メッセージは、存在するどのユーザがサービスを使用することを許可されていないかを特定する。このようなメッセージは以下の様な形式である：
【００４１】
【表５】
2012512475.tif 000007
【００４２】
その後、ステップ５．８の間に、デバイス１は、タグの存在を定期的に解析し、新しいタグの出現またはタグの消滅が起こらない限り、同一の状態を保つ。変化が起きた場合、デバイスは、ステップ５０２までスキップし、存在するタグの新規の検出、及びタグによって識別されたユーザのアクセス権の新規の集約を行う。従って、プログラムは、デバイスの電源が切れるまで絶えずループしている。
【００４３】
他の方策は、権利の集約体の演算が可能である。デバイスが有料サービスを許可することを仮定し、かつユーザの１人が加入者でありそのサービスへのアクセス権を有していると仮定する。従って、当該ユーザは、存在する他のユーザに恩恵をもたらすことが可能である。「拡大（widened）」と称されるこの方策によれば、権利の集合体は、ユーザに照らして、最も上位の権利を有しているユーザの権利を示すことに本質がある。
【００４４】
以下の表は拡大方策を示している：
【００４５】
【表６】
2012512475.tif 000008
【００４６】
この表によれば、最も上位の権利を有しているユーザ１は、他のユーザに恩恵をもたらす。その後、サービスへのアクセス権を獲得していたユーザが去る場合、サービスに対する支払いがなされているので、残ったユーザは、このサービスへのアクセス権からの恩恵を受け続ける。アクセスの終了は、サービスの終了において、またはデバイスの電源が切られた場合に起こる。
【００４７】
拡大または制限的方策の１またはその他のものにおいて、アクセス権は、番組レベルにて、またはサービスプロバイダレベルにてもしくはドキュメント制作者によって規定され得る。例えば、一般的なレベルの権利を有するオーディオビジュアルチャンネルを参照することが可能であり、子供向けのアニメチャンネルは、どんな番組が放送されていても、レベル１と参照される。他の例は、いくつかの性的な特性のインターネットサイトの例であり、そのようなサイトへのアクセスは、ユーザがこのサイトへの誘導を要求しても、成人に限定される。
【００４８】
上述の説明において、ユーザのアクセス権がサービスへのアクセスに関して規定されて、他のユーザに関連させられていると仮定してきた。「内輪的」と称される他の方策によれば、ユーザのアクセス権は、サービスへの内輪的アクセス権を特定する、すなわち他のユーザの存在を考慮する信号を含む。例えば、この方策は、オーディオビジュアルドキュメントをダウンロード及びオンラインで複製可能にするインターネットサイトへのアクセスを可能とする契約をユーザがしている場合に、実装される。サービスプロバイダは、サービスプロバイダへのサイトへのアクセスが、契約者のみに限定されることを要求してもよい。そうならば、このサービスの契約者ではない他のユーザの存在をデバイス１が検出した場合、その後、アクセスが拒否される。この方策は、以下の状況を生む：すなわち、２人の契約者の各々がサービスへの内輪的アクセス権を有し、２つのサービスが異なる状況である。２人の契約者が一緒にいる場合、２人の契約者はどのサービスへのアクセスもできないが、デバイス１の前に１人でいる場合、契約者の各々は、自分のサービスへアクセスできる。
【００４９】
以下の表は、内輪的な方策を示している。
【００５０】
【表７】
2012512475.tif 000009
【００５１】
上記表によれば、数人のユーザは、当該数人のユーザがサービスへの内輪的アクセス権を有していない状況にあるサービスのみへアクセス可能である。
【００５２】
この方策によれば、ユーザは、無期限に、決められた期間、または決められたイベントに関してサービスへの内輪的権利を有する。例えば、ユーザは、オーディオビジュアル番組等のイベントを受信すること及びそれを視聴することを許可される。その後、この番組を放送するチャンネルへのアクセスは非内輪的になる。
【００５３】
無線タグが、どのように無線タグを持っているユーザを識別する機能を提供するかが上述されてきた。改良例によれば、無線タグは、ユーザに関連付けられたアクセス権を含むプログラム可能メモリを含んでいてもよい。デバイスによる検出において、通信が確立されて、タグがデバイスにユーザの権利を伝送することが可能にされる。このようにすることで、デバイスは、ユーザ、ユーザの識別コード、及びユーザの権利を関連付けるためにデータベースを維持する必要が無くなる。無線タグは、その後、ユーザを識別し、ユーザの権利を伝送する機能を果たす。タグとデバイスとの間の機密通信が有利に実装され、不正行為が回避可能にされる。この通信は、例えば、サービスへのアクセス権を与える非接触スマートカードとカードリーダとの間の通信と同一のタイプの通信である。
【００５４】
本発明は、離れた場所にある番組への、オーディオビジュアルチャンネルへの、制御されるべきゲームへのアクセスを可能にし、全体として、ユーザからの要求においてサービスを配信する任意のデバイスに関する。本発明は、ユーザのアクセス権に従ってアクセスされ得るサービスのリストを、存在するユーザのセットに提案するためにも使用され得る。提案されたサービスのリストの表示は２つの部分を有し、第１の部分は、特定の条件無しにアクセスされ得るサービスを示し、第２の部分は、提供されるユーザの少なくとも１人の同意を必要とする有料サービスを含む。アクセス権は、あるサービスとその他のサービスとの間の優先順位を特定しない、すなわち、サービスがアクセスされ得るかまたはアクセスされ得ないかを特定しない。有利には、アクセスされ得るサービスは、存在するユーザの優先傾向の関する順序によってリストされる。これらの優先傾向は、デバイス１内に記憶されるか、またはユーザの各々によって保持されているスマートカードからダウンロードされる。このようにして、アクセスされ得るサービスの中でいくつかのサービスが、特に、存在するユーザの優先傾向に対応する場合、これらは、表示されるリスト内で最初に配される。
【００５５】
上記の本発明の実施形態は、それらの実際の特徴に対して選択された。しかし、本発明が包含する全ての実施形態の包括的なリストを与えることは不可能である。特に、説明されたステップの各々または全ての手段は、本発明の枠組みから逸脱することなく、均等なステップまたは手段によって置換され得る。
【図１】
2012512475.tif 000010
【図２】
2012512475.tif 000011
【図３】
2012512475.tif 000012
【図４】
2012512475.tif 000013
【図５】
2012512475.tif 000014
【国際調査報告】
2012512475.tif 000015
2012512475.tif 000016
2012512475.tif 000017
2012512475.tif 000018
2012512475.tif 000019
2012512475.tif 000020